(57)【要約】【課題】意図しないシートが記録紙の前または後に挿入されてしまうことを減少させること。【解決手段】画像形成システムは、複数のシートを積載可能な第一積載手段および第二積載手段と、第一積載手段から給送されるシートに画像を形成する画像形成手段と、挿入紙として挿入されるシートを積載可能な第三積載手段および第四積載手段とを有する。制御手段は、挿入紙の給送元が第三積載手段に設定されたジョブの実行途中で第三積載手段に積載されているシートが不足した場合、第三積載手段から第四積載手段に切り替える。制御手段は、挿入紙の給送元が第二積載手段に設定されたジョブの実行途中で第二積載手段に積載されているシートが不足した場合、第二積載手段から他の積載手段に切り替えずに、ジョブの実行を一時的に停止する。【選択図】  図７
2020098251.tif 000002
【特許請求の範囲】
【請求項１】
複数のシートを積載可能な第一積載手段および第二積載手段と、
シートの搬送方向において前記第一積載手段および前記第二積載手段よりも下流に配置され、前記第一積載手段から給送されるシートに画像を形成する画像形成手段と、
前記シートの搬送方向において前記画像形成手段よりも下流に設けられ、複数のシートを積載可能な第三積載手段および第四積載手段と、
前記画像形成手段により画像を形成されたシートの前または後に挿入される挿入紙の給送元が前記第三積載手段に設定されたジョブの実行途中で前記第三積載手段に積載されているシートが不足した場合、前記第三積載手段から前記第四積載手段に切り替え、
前記画像形成手段により画像を形成されるシートの前または後に挿入される挿入紙の給送元が前記第二積載手段に設定されたジョブの実行途中で前記第二積載手段に積載されているシートが不足した場合、前記第二積載手段から他の積載手段に切り替えずに、前記ジョブの実行を一時的に停止する制御手段と、を有することを特徴とする画像形成システム。
【請求項２】
シートの給送元の自動切替モードを有効または無効に設定する設定手段をさらに有し、
前記制御手段は、
前記自動切替モードが有効に設定されている場合に、
前記挿入紙の給送元が前記第三積載手段に設定されたジョブの実行途中で前記第三積載手段に積載されているシートが不足した場合、前記第三積載手段から前記第四積載手段に切り替え、
前記自動切替モードが無効に設定されている場合に、
前記挿入紙の給送元が前記第三積載手段に設定されたジョブの実行途中で前記第三積載手段に積載されているシートが不足した場合、前記第三積載手段から前記第四積載手段に切り替えずに、前記ジョブの実行を一時的に停止することを特徴とする請求項１に記載の画像形成システム。
【請求項３】
前記制御手段は、
前記自動切替モードが有効に設定されているか、それとも無効に設定さているかには依存せずに、
前記挿入紙の給送元が前記第二積載手段に設定されたジョブの実行途中で前記第三積載手段に積載されているシートが不足した場合、前記第二積載手段から前記他の積載手段に切り替えずに、前記ジョブの実行を一時的に停止することを特徴とする請求項２に記載の画像形成システム。
【請求項４】
前記挿入紙の給送元が前記第三積載手段に設定されたジョブの実行途中で前記第三積載手段に積載されているシートが不足した場合、前記第三積載手段に積載されているシートと同種のシートを前記第四積載手段が積載しているかどうかを判定する判定手段をさらに有し、
前記制御手段は、
前記挿入紙の給送元が前記第三積載手段に設定されたジョブの実行途中で前記第三積載手段に積載されているシートが不足し、かつ、前記第三積載手段に積載されているシートと同種のシートを前記第四積載手段が積載している場合に、前記第三積載手段から前記第四積載手段に切り替え、
前記挿入紙の給送元が前記第三積載手段に設定されたジョブの実行途中で前記第三積載手段に積載されているシートが不足し、かつ、前記第三積載手段に積載されているシートと同種のシートを前記第四積載手段が積載していない場合に、前記第三積載手段から前記第四積載手段に切り替えずに、前記ジョブの実行を一時的に停止することを特徴とする請求項１ないし３のいずれか一項に記載の画像形成システム。
【請求項５】
前記第三積載手段と前記第四積載手段とを同一のグループに割り当てる割当手段をさらに有し、
前記判定手段は、前記第三積載手段と前記第四積載手段とが同一のグループに割り当てられている場合に、前記第三積載手段に積載されているシートと同種のシートを前記第四積載手段が積載していると判定することを特徴とする請求項４に記載の画像形成システム。
【請求項６】
前記挿入紙の給送元が前記第三積載手段に設定されたジョブの実行途中で前記第三積載手段に積載されているシートが不足したときに、前記第三積載手段と前記第四積載手段とが同一のグループに割り当てられていないと前記判定手段が判定すると、前記制御手段は、前記第三積載手段から前記第四積載手段に切り替えずに、前記ジョブを一時的に停止することを特徴とする請求項４または５に記載の画像形成システム。
【請求項７】
前記シートの搬送方向において前記画像形成手段よりも上流に設けられ、シートを積載可能な第五積載手段をさらに有し、
前記第二積載手段および前記第五積載手段はそれぞれ挿入紙となるシートを積載するように予め指定されており、
前記制御手段は、
前記挿入紙の給送元が前記第二積載手段に設定されたジョブの実行途中で前記第二積載手段に積載されているシートが不足した場合、前記第二積載手段から前記第五積載手段に切り替えずに、前記ジョブの実行を一時的に停止することを特徴とする請求項１ないし４のいずれか一項に記載の画像形成システム。
【請求項８】
前記シートの搬送方向において前記画像形成手段よりも上流に設けられ、シートを積載可能な第六積載手段をさらに有し、
前記第一積載手段および前記第六積載手段はそれぞれ前記画像形成手段で画像を形成されるシートを積載するように予め指定されており、
前記制御手段は、
前記自動切替モードが有効に設定されている場合に、
前記第一積載手段に積載されているシートが不足した場合、前記第一積載手段から前記第六積載手段に切り替え、
前記自動切替モードが無効に設定されている場合に、
前記第一積載手段に積載されているシートが不足した場合、前記第一積載手段から前記第六積載手段に切り替えずに、前記ジョブを一時的に停止することを特徴とする請求項２に記載の画像形成システム。
【請求項９】
前記第一積載手段、前記第二積載手段および前記画像形成手段は画像形成装置に設けられており、
前記第三積載手段、および前記第四積載手段はインサータに設けられていることを特徴とする請求項１ないし８のいずれか一項に記載の画像形成システム。
【請求項１０】
各積載手段ごとに、積載手段の自動切替を有効にするか無効にするかを設定するための設定手段と、各積載手段ごとに、グループを選択する選択手段とを含むユーザインタフェースを表示する表示手段をさらに有することを特徴とする請求項１に記載の画像形成システム。
【請求項１１】
各積載手段ごとに、積載されるシートのサイズと、当該シートが記録紙または挿入紙のいずれであるかを示す種類とを指定する指定手段をさらに有し、
シートのサイズが同一で、かつ、種類が同一である場合に、同種と判定されることを特徴とすることを特徴とする請求項４に記載の画像形成システム。
【請求項１２】
画像形成装置とインサータとを有する画像形成システムであって、
前記画像形成装置は、
記録紙を積載する第一積載手段と、
挿入紙を積載する第二積載手段と、
前記第一積載手段から給送される記録紙に画像を形成し、前記第二積載手段から給送される挿入紙に画像を形成しない画像形成手段と、
制御手段と、を有し、
前記インサータは、
前記記録紙および前記挿入紙の搬送方向において前記画像形成手段よりも下流に設けられ、前記画像形成手段から搬送されてきた記録紙の前または後に、ジョブにしたがって、挿入紙を挿入する第三積載手段および第四積載手段を有し、
前記制御手段は、
前記挿入紙の給送元として前記インサータに設けられた前記第三積載手段が指定されているジョブの実行途中で前記第三積載手段に積載されている挿入紙が不足した場合、前記第三積載手段から前記第四積載手段に切り替え、
前記挿入紙の給送元として前記画像形成装置に設けられた前記第二積載手段が指定されているジョブの実行途中で前記第二積載手段に積載されているシートが不足した場合、前記第二積載手段から他の積載手段に切り替えずに、前記ジョブの実行を一時的に停止することを特徴とする画像形成システム。
【請求項１３】
前記挿入紙は、表紙、裏表紙、合紙および章紙のいずれかであることを特徴とする請求項１ないし１２のいずれか一項に記載の画像形成システム。
【発明の詳細な説明】
【技術分野】
【０００１】
本発明は挿入紙を挿入する機能を有する画像形成システムに関する。
【背景技術】
【０００２】
画像形成装置にはインサータを直接的または間接的に接続可能である。インサータは、記録紙の前または後に挿入紙（例：表紙、裏表紙、合紙、章紙）を挿入する後処理装置である。特許文献１の画像形成システムは、後処理給送トレイに用紙が無くなると本体給送トレイから用紙を供給し、本体給送トレイに用紙がなくなると後処理給送トレイから記録紙を供給する。これにより後処理工程の中断が発生せず、用紙の補充操作が不要になるという。
【先行技術文献】
【特許文献】
【０００３】
【特許文献１】特開２００７−１６８９５８公報
【発明の概要】
【発明が解決しようとする課題】
【０００４】
インサータは複数のインサータトレイを有していることがある。画像形成装置も複数の給送トレイを有していることがある。とりわけ、複数の給送トレイは、記録紙を積載したり、挿入紙を積載したりすることができる。したがって、あるインサータトレイにおいて挿入紙が無くなると、他のインサータトレイや給送トレイに給送元を切り替えることで、画像形成システムは、印刷ジョブを継続できる。このような切替は自動切替モードが有効化されているときに実行される。一般に複数のインサータトレイには同種の挿入紙が積載されるが、画像形成装置に設けられた給送トレイには他の種類の挿入紙や記録紙が積載される。したがって、自動切替モードが有効であるからといって、一律に挿入紙の給送元が切り替えられてしまうと、意図しないシートが記録紙の前または後に挿入されてしまう。そこで、本発明は、意図しないシートが記録紙の前または後に挿入されてしまうことを減少させることを目的とする。
【課題を解決するための手段】
【０００５】
本発明は、たとえば、
複数のシートを積載可能な第一積載手段および第二積載手段と、
シートの搬送方向において前記第一積載手段および前記第二積載手段よりも下流に配置され、前記第一積載手段から給送されるシートに画像を形成する画像形成手段と、
前記シートの搬送方向において前記画像形成手段よりも下流に設けられ、複数のシートを積載可能な第三積載手段および第四積載手段と、
前記画像形成手段により画像を形成されたシートの前または後に挿入される挿入紙の給送元が前記第三積載手段に設定されたジョブの実行途中で前記第三積載手段に積載されているシートが不足した場合、前記第三積載手段から前記第四積載手段に切り替え、
前記画像形成手段により画像を形成されるシートの前または後に挿入される挿入紙の給送元が前記第二積載手段に設定されたジョブの実行途中で前記第二積載手段に積載されているシートが不足した場合、前記第二積載手段から他の積載手段に切り替えずに、前記ジョブの実行を一時的に停止する制御手段と、を有することを特徴とする画像形成システムを提供する。
【発明の効果】
【０００６】
本発明によれば、意図しないシートが記録紙の前または後に挿入されてしまうことが減少する。
【図面の簡単な説明】
【０００７】
【図１】画像形成システムを説明する図
【図２】コントローラを説明する図
【図３】ユーザインタフェースを説明する図
【図４】設定情報を説明する図
【図５】ジョブデータを説明する図
【図６】ジョブの出力結果を説明する図
【図７】画像形成処理を示すフローチャート
【図８】画像形成処理を示すフローチャート
【図９】ＣＰＵの機能を説明する図
【発明を実施するための形態】
【０００８】
［画像形成システム］
図１が示すように、画像形成システム１００は画像形成装置１０１とインサータ１０２を有している。図１において画像形成装置１０１とインサータ１０２とは直接的に接続されているが、画像形成装置１０１とインサータ１０２とが他の後処理装置を介在して間接的に接続されていてもよい。画像形成装置１０１はシート（記録紙）に画像を形成する装置である。インサータ１０２はプレプリント紙等の挿入紙（例：合紙、表紙、裏表紙、章紙）を、画像形成装置１０１から出力されたシートの前または後に挿入するインサート機能を備える。プレプリント紙とは、トレイに積載される前に予め画像を形成されたシートである。プレプリント紙は画像形成装置１０１により画像を形成されてもよいし、他の画像形成装置により画像を形成されてもよい。
【０００９】
●画像形成装置
コントローラ１０３は画像形成システム１００の各種制御のためのソフトウェアを実行する。操作部１０４は画像形成システム１００に対する指示の入力を受け付ける入力装置と、ユーザに対する情報を表示したりする表示装置とを有する。入力装置は、タッチパネルやハードキーであってもよい。
【００１０】
トナー供給部１０５は画像形成システム１００の画像形成部に対して印刷剤であるトナーを供給する。画像形成部１０６はトナーを用いてシートにトナー画像を形成する。定着装置１０８はトナー画像およびシートに熱と圧力を加え、シートにトナー画像を定着させる。給送トレイ１１０ａ、１１０ｂ、１１０ｃ、１１０ｄはそれぞれ複数のシートを積載可能であり、シートを搬送部１１１ａへ給送する給送トレイである。搬送部１１１ａは、給送トレイ１１０ａ、１１０ｂ、１１０ｃ、１１０ｄから給送されたシートを画像形成部１０６へ搬送する。排出部１１４ａはトナー画像が定着したシートをインサータ１０２へ排出する。参照符号の末尾に付与されているアルファベットは同一の要素を区別するために使用されている。したがって複数の要素に共通する事項が説明される際には、参照符号の末尾のアルファベットが省略される。
【００１１】
●インサータ
投入口１１５は画像形成装置１０１から排出されたシートを受け取る。インサータトレイ１１７ａ、１１７ｂは、それぞれ挿入紙として使用される複数のシートを積載可能な給送トレイである。シートセンサ１１９ａはインサータトレイ１１７ａにシートが積載されているかどうかを検知する。シートセンサ１１９ｂはインサータトレイ１１７ｂにシートが積載されているかどうかを検知する。搬送部１１１ｂは、インサータトレイ１１７ａ、１１７ｂから給送された挿入紙を搬送部１１１ｃに搬送することで、画像形成装置１０１から排出されたシートの前または後に挿入紙を挿入する。搬送部１１１ｃは、画像形成装置１０１から排出されたシートや、インサータトレイ１１７ａ、１１７ｂから給送された挿入紙を排出部１１４ｂへ搬送する。排出部１１４ｂはシートおよび挿入紙を排紙トレイ１２６に排出する。図１では、インサータ１０２に接続された排紙トレイ１２６が最終的な排紙先であるが、インサータ１０２の後段にパンチャーや製本装置などの後処理装置が接続されてもよい。
【００１２】
［コントローラ］
図２が示すように、ＣＰＵ２０３はＲＯＭ２０８に記憶されている制御プログラムを実行することで、画像形成装置１０１とインサータ１０２を制御する。図１においてはコントローラ１０３が画像形成装置１０１の内部に設けられているが、図２が示すように画像形成装置１０１の外部に設けられてもよい。ＲＡＭ２０４は印刷ジョブなどを一時的に記憶する記憶装置である。ＲＯＭ２０８は制御プログラムや制御データなどを記憶する記憶装置である。操作部Ｉ／Ｆ２０５は、操作部１０４をＣＰＵ２０３と接続するための回路である。通信回路２０６は、ホストコンピュータやイメージスキャナから印刷ジョブなどを受信する回路である。デバイスＩ／Ｆ２１４は、画像形成装置１０１やインサータ１０２に給送コマンドや画像形成コマンドなどを送信したり、シートセンサ１１９、１２０からシートの有無を示す検知信号を受信したりする。
【００１３】
［ユーザインタフェース］
図３（Ａ）はインサータトレイの自動切替の設定画面３０１ａを示す。自動切替とは、あるインサータトレイにシートが無くなると、あるインサータトレイから他のインサータトレイに給送元を切り替えることでシートの給送を継続することをいう。自動切替は制御モードの一つであることから、自動切替モードと呼ばれてもよい。自動切替は、あるインサータトレイに積載されているシートと、他のインサータトレイに積載されているシートとが同一である場合に、実行される。たとえば、インサータトレイ１１７ａとインサータトレイ１１７ｂとがそれぞれ２００枚のシートを積載可能であることが仮定される。この場合、インサータトレイ１１７ａとインサータトレイ１１７ｂとにそれぞれ２００枚の同一のシートを積載することで、連続して４００枚の給送が可能となる。
【００１４】
ＣＰＵ２０３は、操作部１０４の表示装置に設定画面３０１ａを表示する。設定画面３０１ａは、インサータトレイの自動切替を有効化または無効化することをユーザが設定するために使用する画面である。ＯＮキー３０２は、自動切替を有効にするためのソフトウエアボタンである。ＣＰＵ２０３はＯＮキー３０２が操作されたことを検知すると、自動切替が有効化されたことを示す設定情報をＲＡＭ２０４に記憶する。ＣＰＵ２０３はインサータトレイ１１７ａのシートが無くなると、設定情報にしたがって、給紙元をインサータトレイ１１７ｂに切り替え、シートの給送を継続する。ＯＦＦキー３０３は、自動切替を無効化するためのソフトウエアボタンである。ＣＰＵ２０３はＯＦＦキー３０３が操作されたことを検知すると、自動切替が無効化されたことを示す設定情報をＲＡＭ２０４に記憶する。ＣＰＵ２０３はインサータトレイ１１７ａのシートが無くなると、設定情報にしたがって、シートの給送を一時的に停止する。ＣＰＵ２０３はインサータトレイ１１７ａにシートが補充されると、シートの給送を再開する。ＯＫキー３０４は、であり、この画面の設定を有効にすると同時にこの画面を閉じることをＣＰＵ２０３に指示するためのキーである。
【００１５】
図３（Ｂ）は画像形成装置１０１に設けられた給送トレイの自動切替を設定するための設定画面３０１ｂを示している。給送トレイの自動切替とは、ある給送トレイにシートが無くなると、ある給送トレイから他の給送トレイに給送元を切り替えることでシートの給送を継続することをいう。自動切替は、ある給送トレイに積載されているシートと他の給送トレイに積載されているシートとが同一である場合に、実行される。たとえば、給送トレイ１１０ａ〜１１０ｄがそれぞれ５００枚のシートを積載可能であると仮定される。この場合、給送トレイの自動切替により、２０００枚のシートを連続的に給送することが可能となる。
【００１６】
ＣＰＵ２０３は、操作部１０４の表示装置に設定画面３０１ｂを表示する。設定画面３０１ｂは、給送トレイ１１０ａ〜１１０ｄの名称を給送トレイごとに表示する名称表示部３１１を有している。サイズ表示部３１２は、シートのサイズを給送トレイごとに表示する。スイッチ部３１３は、各給送トレイごとに自動切替のＯＮ／ＯＦＦを設定するためのＯＮキーとＯＦＦキーとを有している。ＯＮキーとＯＦＦキーはトグルスイッチのように動作してもよい。キャンセルキー３０５は、この画面の設定変更をキャンセルすると同時にこの画面を閉じることをＣＰＵ２０３に指示するためのキーである。
【００１７】
たとえば、スイッチ部３１３によって、給送トレイ１１０ａ〜１１０ｃは自動切替モードを有効化されているが、給送トレイ１１０ｄは自動切替モードを無効化されていてもよい。この場合、ＣＰＵ２０３は、給送トレイ１１０ａ〜１１０ｃを切り替えることで連続的に１５００枚のシートを給送するが、給送トレイ１１０ａ〜１１０ｃから給送トレイ１１０ｄに切り替えることはない。
【００１８】
図３（Ｃ）は給送トレイの自動切替えを設定するための他の例示的な設定画面３０１ｃを示す。設定画面３０１ｃは、設定画面３０１ｂに対してグループ表示部３１４とグループ選択部３１５とが追加されている。ユーザは、複数の給送トレイ１１０ａ〜１１０ｄを用途に応じてグループ分けを行う。たとえば、給送トレイ１１０ａ、１１０ｂには記録紙（普通紙）が積載され、給送トレイ１１０ｃ、１１０ｄには厚紙や挿入紙が積載されることがある。
【００１９】
ところで、複数の給送トレイ１１０ａ〜１１０ｄのすべてについて自動切替モードが有効化されていることがある。この場合に、給送トレイ１１０ａ、１１０ｂがすべて空となったときに、厚紙や挿入紙が給送されてしまうと、ユーザの意図しないシートに画像が記録されてしまう。このようなシートは廃棄される。とりわけ、後処理装置において製本処理が実行された後に、ユーザの意図しないシートに画像が記録されていることが発覚すると、大量のシートが無駄となってしまう。このような事態の発生を減少させることに有効なのが、給送トレイのグループ分けである。
【００２０】
グループ表示部３１４は、各給送トレイが所属しているグループ名称を表示する。グループ選択部３１５は各給送トレイが所属すべきグループを選択する。たとえば、グループ選択部３１５は、複数のグループのリストを表示し、一つのグループを選択可能なプルダウンメニュー（ドロップダウンリスト）であってもよい。
【００２１】
ＣＰＵ２０３はグループｉに属している給送トレイ１１０ａにシートが無くなると、グループｉに属している給送トレイ１１０ｂからシートを給送する。ＣＰＵ２０３はグループｉｉに属している給送トレイ１１０ｃにシートが無くなると、グループｉｉに属している給送トレイ１１０ｄからシートを給送する。なお、ＣＰＵ２０３はグループｉに属しているすべての給送トレイ１１０ａ、１１０ｂにシートが無くなると、印刷ジョブを一時的に停止し、シートの補充を待つ。つまり、ＣＰＵ２０３はグループｉに属しているすべての給送トレイ１１０ａ、１１０ｂにシートが無くなっても、グループｉｉに属している給送トレイ１１０ｃ、１１０ｄからシートを給送しない。
【００２２】
図４はＣＰＵ２０３がＲＡＭ２０４に記憶する設定情報の一部を示している。この例では給送トレイ１１０ａ〜１１０ｄとインサータトレイ１１７ａ、１１７ｂのそれぞれが積載しているシートのサイズとタイプが示されている。プレプリント紙とは、給送トレイ１１０やインサータトレイ１１７に積載される前に、予め画像が形成されたシートのことである。
【００２３】
図５はジョブの設定例を示している。通信回路２０６により受信されるジョブデータ５００はジョブチケット５０１と印刷データ５０２とを有している。ジョブチケット５０１は、両面印刷／片面印刷、ステイプルの有無、挿入紙の有無などを設定するための設定情報を含む。一例として挿入紙が合紙に設定されているものと仮定されているが、挿入紙は、表紙、裏表紙、章紙などであってもよい。印刷データ５０２は、たとえば、ＰＤＬデータなど、印刷される画像を特定するためのデータである。ＰＤＬはページ記述言語の略称である。
【００２４】
ジョブチケット５０１は、部数情報５０３、挿入紙情報５０４および本文情報５０５をさらに有していてもよい。部数情報５０３は、印刷部数を指定する情報である。たとえば、１５０ページからなる本文を１０部印刷する場合、部数情報５０３には“１０”が格納される。挿入紙情報５０４は、挿入紙の挿入位置と、挿入紙の給送元とを示す情報を含む。たとえば、「Ｐ２の前：第一インサータトレイ」とは、インサータトレイ１１７ａから給送された合紙が本文の２ページ目の前に挿入されることを意味する。本文情報５０５は、本文を印刷されるシート（記録紙）の給送元（例：給送トレイ１１０ｃ）を示す情報を含む。ジョブチケット５０１の代わりに、印刷データ５０２が、ページごとの属性情報を有してもよい。属性情報は、ページごとの給送元を指定する情報を含む。
【００２５】
図６（Ａ）は５ページからなる本文を含む印刷ジョブの出力結果を示している。印刷データ５０２は５ページ分のＰＤＬ形式の画像データを有している。図６（Ｂ）は、図５に示されたジョブデータ５００で指定されている給送元においてシートが不足しなかった場合の各シートと給送元との関係を示している。１ページ目のシートＰ１から５ページ目のシートＰ５はいずれも給送トレイ１１０ｃから給送されている。シートＰ２、Ｐ３の前にはそれぞれインサータトレイ１１７ａから挿入紙が給送されている。シートＰ４、Ｐ５の前にはそれぞれ給送トレイ１１０ｂから挿入紙が給送されている。
【００２６】
図６（Ｃ）は、ジョブデータ５００で指定されている給送元においてシートが不足した場合の各シートと給送元との関係を示している。この例では、ＣＰＵ２０３は、シートセンサ１１９ａを用いて、シートＰ１とシートＰ２に挿入紙を給送したインサータトレイ１１７ａにおいてシートが無くなったことを検知する。そこで、ＣＰＵ２０３は、挿入紙の給送元をインサータトレイ１１７ａからインサータトレイ１１７ｂに切り替えられる。これは、設定画面３０１ａにおいてインサータトレイの自動切替モードが有効化されているからである。これにより、インサータトレイ１１７ｂはシートＰ３の前に挿入紙を挿入する。
【００２７】
ＣＰＵ２０３は、シートセンサ１２０ｃを用いて、シートＰ２を給送した給送トレイ１１０ｃにおいもてシートが無くなったことを検知する。設定画面３０１ｃにおいて、給送トレイ１１０ｃと給送トレイ１１０ｄはグループｉｉを割り当てられている。そこで、ＣＰＵ２０３は、シートの給送元を給送トレイ１１０ｃから給送トレイ１１０ｄに切り替える。つまり、給送トレイ１１０ｄがシートＰ３、Ｐ４を供給する。
【００２８】
ところで、ＣＰＵ２０３は、シートセンサ１２０ｂを用いて、給送トレイ１１０ｂに挿入紙が無くなったことを検知する。これは、シートＰ４の前に挿入紙が挿入されたときに発生する。しかし、ＣＰＵ２０３は、挿入紙の給送元を給送トレイ１１０ｂから他の給送トレイ１１０への切替を禁止し、ジョブを一時的に停止する。ＣＰＵ２０３は、シートセンサ１２０ｂを用いて、給送トレイ１１０ｂに挿入紙が補充されたことを検知すると、給送トレイ１１０ｂからの挿入紙の給送を再開する。つまり、シートＰ５の前に、給送トレイ１１０ｂから給送された挿入紙が挿入される。
【００２９】
［フローチャート］
図７および図８は画像形成処理を示すフローチャートである。ここでは、説明の便宜上、挿入紙が合紙と仮定されている。
【００３０】
Ｓ７０１でＣＰＵ２０３はＲＡＭ２０４に記憶されているジョブデータ５００からページ情報を取得するページ情報とは、ジョブチケット５０１に含まれている情報のうち、挿入紙情報５０４と本文情報５０５である。
【００３１】
Ｓ７０２でＣＰＵ２０３はページ情報に基づき処理対象となっているページが合紙かどうかを判定する。ここでページとは、本文のページだけでなく、合紙も含む。つまり、ページとは、一部を構成するシートのそれぞれを意味する。ＣＰＵ２０３は各ページをページ番号ｉにより管理する。たとえば、図５に例示されたジョブにおいて、処理対象のページ番号ｉが１であれば、本文のページＰ１であることが分かる。また、ページ番号ｉが２であれば第一インサータトレイから供給される合紙であることがわかる。ページが合紙であれば、ＣＰＵ２０３は処理をＳ７０３に進める。ページが合紙でなければ、ＣＰＵ２０３は処理をＳ８１１に進める。
【００３２】
Ｓ７０３でＣＰＵ２０３はページ情報に基づき合紙の給送元がインサータトレイ１１７であるかどうかを判定する。給送元はページ情報の挿入紙情報５０４により指定されている。給送元がインサータトレイ１１７であれば、ＣＰＵ２０３は処理をＳ７０４に進める。給送元がインサータトレイ１１７でなければ、ＣＰＵ２０３は処理をＳ８０２に進める。
【００３３】
Ｓ７０４でＣＰＵ２０３はシートセンサ１１９の検知結果に基づき給送元として指定されたインサータトレイ１１７にシートが存在しているかどうかを判定する。たとえば、給送元がインサータトレイ１１７ａであれば、ＣＰＵ２０３はシートセンサ１１９ａの検知結果に基づき、インサータトレイ１１７ａにシートが存在するかどうかを判定する。シートが存在すれば、ＣＰＵ２０３は処理をＳ７０９に進める。シートが存在しなければ、ＣＰＵ２０３は処理をＳ７０５に進める。
【００３４】
Ｓ７０５でＣＰＵ２０３はＲＡＭ２０４に保持されている設定情報に基づき、インサータトレイ１１７について自動切替モードがＯＮに設定されているかどうかを判定する。設定情報は、図３（Ａ）に示された設定画面３０１ａを用いて予め作成されて、ＲＡＭ２０４に保持されている。自動切替モードがＯＮであれば、ＣＰＵ２０３は処理をＳ７０６に進める。自動切替モードがＯＦＦであれば、ＣＰＵ２０３は処理をＳ７１３に進める。Ｓ７１３でＣＰＵ２０３はシートなし処理を実行する。たとえば、ＣＰＵ２０３はジョブを一時的に停止し、操作部１０４の表示装置に合紙を補充することを促すメッセージを表示する。さらに、ＣＰＵ２０３はシートセンサ１１９ａの検知結果に基づき給送元として指定されたインサータトレイ１１７ａにシートが補充されたかどうかを判定する。インサータトレイ１１７ａにシートが補充されると、ＣＰＵ２０３はジョブを再開し、処理をＳ７１３に進める。
【００３５】
Ｓ７０６でＣＰＵ２０３は、給送元に指定されていない他のインサータトレイ１１７を確認する。たとえば、ＣＰＵ２０３は、ＲＯＭ２０８に記憶されているインサータ１０２の仕様情報に基づきインサータ１０２がインサータトレイ１１７ａ、１１７ｂを備えていることを認識する。さらに、ＣＰＵ２０３は、挿入紙情報５０４に基づき、給送元に指定されていないインサータトレイ１１７としてインサータトレイ１１７ｂを特定する。ＣＰＵ２０３は、インサータトレイ１１７ｂに対応するシートセンサ１１９ｂの検知結果を取得する。
【００３６】
一般に、給送トレイ１１０に積載される合紙と、インサータトレイ１１７に積載される合紙とは異なることが多い。したがって、インサータトレイ１１７の合紙が無くなったときに、給送トレイ１１０から合紙を給送すると、ユーザにとって意図しない合紙が給送されてしまう。そこで、Ｓ７０６では、給送トレイ１１０が給送元の候補として扱われない。そのため、インサータトレイ１１７から給送トレイ１１０に合紙の給送元が切り替えられることはない。
【００３７】
Ｓ７０７でＣＰＵ２０３は給送元に指定されたインサータトレイ１１７のシートと同一のシートが他のインサータトレイ１１７に有るかどうかを判定する。ＣＰＵ２０３は、シートセンサ１１９ｂの検知結果に基づきインサータトレイ１１７ｂにシートが有るかどうかを判定する。インサータトレイ１１７ｂにシートが有る場合、ＣＰＵ２０３は、図４に示された設定情報をＲＡＭ２０４から取得する。ＣＰＵ２０３は、設定情報に基づき、インサータトレイ１１７ｂに積載されているシートのサイズおよびタイプが、インサータトレイ１１７ａに積載されているシートのサイズおよびタイプと一致するかを判定する。つまり、インサータトレイ１１７ａ、１１７ｂが同一の合紙を積載しているかどうかが判定される。他のインサータトレイ１１７に同一のシートがなければ、ＣＰＵ２０３は処理をＳ７１３に進める。他のインサータトレイ１１７に同一のシートがあれば、ＣＰＵ２０３は処理をＳ７０８に進める。
【００３８】
Ｓ７０８でＣＰＵ２０３は給送元を他のインサータトレイ１１７に切り替える。たとえば、ＣＰＵ２０３は挿入紙情報５０４における合紙の給送元を示す情報をインサータトレイ１１７ａからインサータトレイ１１７ｂに書き換える。
【００３９】
Ｓ７０９でＣＰＵ２０３は給送元として指定されたインサータトレイ１１７を制御し、インサータトレイ１１７からシートを給送する。各トレイには給送ローラとそれを駆動するモータとが設けられている。ＣＰＵ２０３はこのモータを駆動することでシートを給送する。
【００４０】
Ｓ７１０でＣＰＵ２０３はジョブデータ５００に基づき、最終のシートの処理（画像形成や挿入処理）が完了したかどうかを判定する。処理されたシートが一部を構成する最終シートであれば、ＣＰＵ２０３は処理をＳ７１１に進める。最終シートでなければ、次のシートを処理するために、ＣＰＵ２０３は処理をＳ７０１に進める。
【００４１】
Ｓ７１１で、ＣＰＵ２０３はジョブデータ５００に基づき、ジョブが完了したかどうかを判定する。たとえば、ＣＰＵ２０３は、ジョブデータ５００により指定されたすべての部の処理が完了したかどうかを判定する。たとえば、部数が３００であれば、ＣＰＵ２０３は、３００部が作成されたかどうかを判定する。
【００４２】
●ページが合紙でないケース
図８のＳ８１１ないしＳ８１７はページが合紙でないケースに実行される処理を示している。Ｓ８１１でＣＰＵ２０３はジョブデータ５００とシートセンサ１２０の検知結果に基づき、給送元として指定された給送トレイ１１０にシートが有るかどうかを判定する。たとえば、ＣＰＵ２０３は本文情報５０５に基づき、給送元として指定された給送トレイ１１０が給送トレイ１１０ｃであることを特定する。ＣＰＵ２０３は、シートセンサ１２０ｃの検知結果に基づき給送トレイ１１０ｃにシートが有るかどうかを判定する。給送元にシートがあれば、ＣＰＵ２０３は処理をＳ８１６に進める。給送元にシートがなければ、ＣＰＵ２０３は処理をＳ８１２に進める。
【００４３】
Ｓ８１２でＣＰＵ２０３はＲＡＭ２０４に保持されている設定情報に基づき、給送トレイ１１０の自動切替モードがＯＮであるかを判定する。設定情報は設定画面３０１ｂ、３０１ｃを介して予め作成されて、ＲＡＭ２０４に保持されている。自動切替モードがＯＮであれば、ＣＰＵ２０３は処理をＳ８１３に進める。自動切替モードがＯＮでなければ、ＣＰＵ２０３は処理をＳ８１８に進める。Ｓ８１８でＣＰＵ２０３はシートなし処理を実行する。たとえば、ＣＰＵ２０３はジョブを一時的に停止し、操作部１０４の表示装置にシートを補充することを促すメッセージを表示する。さらに、ＣＰＵ２０３はシートセンサ１２０ｃの検知結果に基づき給送元として指定された給送トレイ１１０ｃにシートが補充されたかどうかを判定する。給送トレイ１１０ｃにシートが補充されると、ＣＰＵ２０３はジョブを再開し、処理をＳ８１６に進める。
【００４４】
Ｓ８１３でＣＰＵ２０３は、給送元に指定されていない他の給送トレイ１１０を確認する。たとえば、ＣＰＵ２０３は、図３（Ｃ）の設定画面３０１ｃにより設定された設定情報に基づき、給送元として指定されている給送トレイ１１０ｃの属しているグループｉｉを特定する。さらに、ＣＰＵ２０３は、この設定情報に基づき、特定されたグループｉｉに属している他の給送トレイ１１０ｄを特定する。ＣＰＵ２０３は、給送トレイ１１０ｄに対応するシートセンサ１２０ｄの検知結果を取得する。
【００４５】
Ｓ８１４でＣＰＵ２０３は給送元に指定された給送トレイ１１０のシートと同一のシートが他の給送トレイ１１０に有るかどうかを判定する。ＣＰＵ２０３は、シートセンサ１２０ｄの検知結果に基づき他の給送トレイ１１０ｄにシートが有るかどうかを判定する。給送トレイ１１０ｄにシートが有る場合、ＣＰＵ２０３は、図４に示された設定情報をＲＡＭ２０４から取得する。ＣＰＵ２０３は、設定情報に基づき、給送トレイ１１０ｄに積載されているシートのサイズおよびタイプが、給送トレイ１１０ｃに積載されているシートのサイズおよびタイプと一致するかを判定する。つまり、給送トレイ１１０ｃ、１１０ｄが同一のシート（例：普通紙）を積載しているかどうかが判定される。他の給送トレイ１１０ｄに同一のシートがなければ、ＣＰＵ２０３は処理をＳ８１８に進める。他の給送トレイ１１０ｄに同一のシートがあれば、ＣＰＵ２０３は処理をＳ８１５に進める。
【００４６】
Ｓ８１５でＣＰＵ２０３は給送元を他の給送トレイ１１０に切り替える。たとえば、ＣＰＵ２０３は本文情報５０５におけるシートの給送元を示す情報を給送トレイ１１０ｃから給送トレイ１１０ｄに書き換える。
【００４７】
Ｓ８１６でＣＰＵ２０３は給送元として指定された給送トレイ１１０を制御し、給送トレイ１１０からシートを給送する。Ｓ８１７でＣＰＵ２０３は画像形成装置１０１を制御し、シートに本文の画像を形成する。その後、ＣＰＵ２０３は処理をＳ７１０に進める。
【００４８】
●合紙の給送元が給送トレイであるケース
図８に示されたＳ８０１ないしＳ８０３は合紙の給送元が給送トレイであるケースを示している。給送トレイ１１０ｃ、１１０ｄはそれぞれプレプリント紙を積載可能である。しかし、給送トレイ１１０ｃに積載される挿入紙（例：合紙）、給送トレイ１１０ｄに積載される挿入紙（例：章紙）は異なることが多い。そこで、ＣＰＵ２０３は、それぞれ挿入紙を積載している給送トレイ１１０ｃ、１１０ｄ間での給送元の切替を禁止する。
【００４９】
Ｓ８０１でＣＰＵ２０３はジョブデータ５００とシートセンサ１２０の検知結果に基づき、給送元として指定された給送トレイ１１０にシートが有るかどうかを判定する。たとえば、ＣＰＵ２０３は挿入紙情報５０４に基づき、給送元として指定された給送トレイ１１０が給送トレイ１１０ｂであることを特定する。ＣＰＵ２０３は、シートセンサ１２０ｂの検知結果に基づき給送トレイ１１０ｂにシートが有るかどうかを判定する。給送元にシートがあれば、ＣＰＵ２０３は処理をＳ８０３に進める。給送元にシートがなければ、ＣＰＵ２０３は処理をＳ８０２に進める。
【００５０】
Ｓ８０２でＣＰＵ２０３はシートなし処理を実行する。たとえば、ＣＰＵ２０３はジョブを一時的に停止し、操作部１０４の表示装置にシートを補充することを促すメッセージを表示する。さらに、ＣＰＵ２０３はシートセンサ１２０ｂの検知結果に基づき給送元として指定された給送トレイ１１０ｂにシートが補充されたかどうかを判定する。給送トレイ１１０ｂにシートが補充されると、ＣＰＵ２０３はジョブを再開し、処理をＳ８０３に進める。
【００５１】
Ｓ８０３でＣＰＵ２０３は給送元として指定された給送トレイ１１０からシートを給送する。このように、合紙の給送元が給送トレイである場合には、自動切替モードがＯＮであっても、給送トレイの自動切替は実行されない。よって、合紙の誤給送が発生しにくくなる。
【００５２】
＜まとめ＞
図１が示すように給送トレイ１１０ａ〜１１０ｄは複数のシートを積載可能な第一積載手段および第二積載手段の一例である。画像形成部１０６はシートの搬送方向において第一積載手段および第二積載手段よりも下流に配置される画像形成手段の一例である。さらに、画像形成部１０６は第一積載手段（例：給送トレイ１１０ｃ）から給送されるシートに画像を形成する。なお、画像形成部１０６は第二積載手段から給送される挿入紙に画像を形成しなくてもよい。インサータトレイ１１７ａ、１１７ｂはシートの搬送方向において画像形成手段よりも下流に設けられた第三積載手段および第四積載手段の一例である。インサータトレイ１１７ａ、１１７ｂは複数のシートを積載可能である。コントローラ１０３やＣＰＵ２０３は制御手段として機能する。なお、挿入紙は、画像形成手段により画像を形成されたシートの前または後に挿入されるシートのことである。挿入紙は、第二積載手段、第三積載手段および第四積載手段のいずれかから供給されてもよい。積載手段は給送手段と呼ばれてもよい。画像形成手段により画像を形成されたシートの前または後に挿入される挿入紙の給送元が第三積載手段に設定されたジョブが受信されることがある。図７が示すように、ＣＰＵ２０３は当該ジョブの実行途中で第三積載手段に積載されているシートが不足した場合、給送元を第三積載手段から第四積載手段に切り替える。画像形成手段により画像を形成されるシートの前または後に挿入される挿入紙の給送元が第二積載手段（例：給送トレイ１１０ｂ）に設定されたジョブが受信されることがある。図８が示すように、ＣＰＵ２０３は、当該ジョブの実行途中で第二積載手段に積載されているシートが不足した場合、第二積載手段から他の積載手段に切り替えない。さらに、ＣＰＵ２０３は、ジョブの実行を一時的に停止する。これにより、意図しないシートが記録紙の前または後に挿入されてしまうことが減少する。
【００５３】
操作部１０４や設定画面３０１はシートの給送元の自動切替モードを有効または無効に設定する設定手段の一例である。自動切替モードが有効に設定され、かつ、挿入紙の給送元が第三積載手段に設定されたジョブの実行途中で第三積載手段に積載されているシートが不足する場合がある。ＣＰＵ２０３は、この場合に、第三積載手段から第四積載手段に切り替えてもよい。自動切替モードが無効に設定され、かつ、挿入紙の給送元が第三積載手段に設定されたジョブの実行途中で第三積載手段に積載されているシートが不足する場合がある。ＣＰＵ２０３はこの場合に第三積載手段から第四積載手段に切り替えずに、ジョブの実行を一時的に停止してもよい。このようにインサータトレイに関しては自動切替モードのＯＮ／ＯＦＦにしたがって給送元の自動切替が実行される。よって、挿入紙の不足に伴うジョブの中断が発生しにくくなる。
【００５４】
挿入紙の給送元が第二積載手段に設定されたジョブの実行途中で第三積載手段に積載されているシートが不足することがある。この場合に、ＣＰＵ２０３は、自動切替モードが有効に設定されているか、それとも無効に設定さているかには依存せずに、第二積載手段から他の積載手段に切り替えずに、ジョブの実行を一時的に停止する。これにより、挿入紙の誤給送が生じにくくなろう。
【００５５】
挿入紙の給送元が第三積載手段に設定されたジョブの実行途中で第三積載手段に積載されているシートが不足する場合がある。この場合に、ＣＰＵ２０３は、第三積載手段に積載されているシートと同種のシートを第四積載手段が積載しているかどうかを判定する判定手段として機能してもよい。挿入紙の給送元が第三積載手段に設定されたジョブの実行途中で第三積載手段に積載されているシートが不足し、かつ、第三積載手段に積載されているシートと同種のシートを第四積載手段が積載している場合がある。この場合に、ＣＰＵ２０３は、第三積載手段から第四積載手段に切り替えてもよい。挿入紙の給送元が第三積載手段に設定されたジョブの実行途中で第三積載手段に積載されているシートが不足し、かつ、第三積載手段に積載されているシートと同種のシートを第四積載手段が積載していない場合がある。この場合に、ＣＰＵ２０３は、第三積載手段から第四積載手段に切り替えずに、ジョブの実行を一時的に停止してもよい。
【００５６】
設定画面３０１ｃは給送トレイにグループを割り当てているが、設定画面３０１ｃはインサータトレイにグループを割り当てるように変更されてもよい。ＣＰＵ２０３は第三積載手段と第四積載手段とを同一のグループに割り当てる割当手段として機能してもよい。ＣＰＵ２０３は、第三積載手段と第四積載手段とが同一のグループに割り当てられている場合に、第三積載手段に積載されているシートと同種のシートを第四積載手段が積載していると判定してもよい。挿入紙の給送元が第三積載手段に設定されたジョブの実行途中で第三積載手段に積載されているシートが不足したときに、第三積載手段と第四積載手段とが同一のグループに割り当てられていないと判定手段が判定する場合がある。この場合に、ＣＰＵ２０３は、第三積載手段から第四積載手段に切り替えずに、ジョブを一時的に停止してもよい。
【００５７】
図１が示すように、給送トレイ１１０ａはシートの搬送方向において画像形成手段よりも上流に設けられ、シートを積載可能な第五積載手段の一例である。図４が示すように、第二積載手段および第五積載手段はそれぞれ挿入紙となるシートを積載するように予め指定されてもよい。ＣＰＵ２０３は挿入紙の給送元が第二積載手段に設定されたジョブの実行途中で第二積載手段に積載されているシートが不足した場合、第二積載手段から第五積載手段に切り替えずに、ジョブの実行を一時的に停止してもよい。これにより、挿入紙の誤給送が発生しにくくなる。
【００５８】
給送トレイ１１０ｄはシートの搬送方向において画像形成手段よりも上流に設けられ、シートを積載可能な第六積載手段の一例である。図４が示すように、第一積載手段（例：給送トレイ１１０ｃ）および第六積載手段（例：給送トレイ１１０ｄ）はそれぞれ画像形成手段で画像を形成されるシートを積載するように予め指定されていてもよい。ＣＰＵ２０３は、自動切替モードが有効に設定されている場合に、第一積載手段に積載されているシートが不足した場合、第一積載手段から第六積載手段に切り替える。ＣＰＵ２０３は、自動切替モードが無効に設定されている場合に、第一積載手段に積載されているシートが不足した場合、第一積載手段から第六積載手段に切り替えずに、ジョブを一時的に停止する。
【００５９】
図１が示すように、第一積載手段、第二積載手段および画像形成手段は画像形成装置１０１に設けられていてもよい。なお、第一積載手段、第二積載手段が手差しトレイや、画像形成装置１０１に接続される給紙装置であってもよい。第三積載手段、および第四積載手段はインサータ１０２に設けられていてもよい。第三積載手段、および第四積載手段はインサート機能を有するフィニッシャに設けられていてもよい。
【００６０】
スイッチ部３１３は、各積載手段ごとに、積載手段の自動切替を有効にするか無効にするかを設定するための設定手段の一例である。グループ選択部３１５は、各積載手段ごとに、グループを選択する選択手段の一例である。操作部１０４は、ユーザインタフェース（例：設定画面３０１ｃ）を表示する表示手段の一例である。
【００６１】
ＣＰＵ２０３や操作部１０４は各積載手段ごとに、積載されるシートのサイズと、当該シートが記録紙または挿入紙のいずれであるかを示す種類（シートタイプ）とを指定する指定手段として機能してもよい。ＣＰＵ２０３は、シートのサイズが同一で、かつ、種類が同一である場合に、同種と判定してもよい。挿入紙は、表紙、裏表紙、合紙および章紙のいずれであってもよい。
【００６２】
図９はＣＰＵ２０３が制御プログラムを実行することで実現する複数の機能を示している。これらの機能の一部またはすべてはＡＳＩＣやＦＰＧＡなどのハードウエア回路により実現されてもよい。モード設定部９０１は、設定画面３０１ａ〜３０１ｃを操作部１０４に表示し、ユーザ入力に基づいて自動切替モードのＯＮ／ＯＦＦを設定し、設定情報をＲＡＭ２０４に書き込む。ユーザ入力はＯＮキー３０２、ＯＦＦキー３０３、スイッチ部３１３を通じて入力される。トレイ設定部９０２は、ユーザ入力にしたがって給送トレイ１１０やインサータトレイ１１７に積載されるシートのサイズやタイプを設定し、設定情報をＲＡＭ２０４に書き込む。割当部９０３は、グループ選択部３１５を通じて入力されるユーザ入力にしたがって、給送トレイ１１０やインサータトレイ１１７にグループを割り当て、設定情報をＲＡＭ２０４に書き込む。
【００６３】
ジョブ管理部９０４は、ジョブデータ５００を解析し、本文のページや挿入紙の位置、給送元を管理する。ジョブ管理部９０４は、ジョブデータ５００に基づき、ジョブの実行を制御する。ジョブ管理部９０４は、ジョブデータ５００に基づき、Ｓ７１０で最終シートを判定したり、Ｓ７１１でジョブが完了したかどうかを判定したりする。
【００６４】
挿入紙判定部９０５は、Ｓ７０２などで処理対象ページが挿入紙かそれとも記録紙かを判定する。給送元判定部９０６は、Ｓ７０３などでジョブデータ５００や設定情報に基づき、挿入紙や記録紙の給送元を判定する。シート判定部９０７は、Ｓ７０４、Ｓ７０６、Ｓ８１１、Ｓ８１３などで、シートセンサ１１９、１２０の検知結果に基づき、各トレイにおけるシートの有無を判定する。モード判定部９０８は、Ｓ７０５やＳ８１２などで、モード設定部９０１により作成された設定情報に基づき各トレイについての自動切替モードのＯＮ／ＯＦＦを判定する。種類判定部９０９は、Ｓ８０７やＳ８１４などで、トレイ設定部９０２により作成された設定情報に基づき各トレイに積載されているシートのサイズと種類を判定する。
【符号の説明】
【００６５】
１００…画像形成装システム、１０１…画像形成装置、１０２…インサータ、１０３…コントローラ、１１０…給送トレイ、１１７…インサータトレイ
【図１】
2020098251.tif 000003
【図２】
2020098251.tif 000004
【図３】
2020098251.tif 000005
【図４】
2020098251.tif 000006
【図５】
2020098251.tif 000007
【図６】
2020098251.tif 000008
【図７】
2020098251.tif 000009
【図８】
2020098251.tif 000010
【図９】
2020098251.tif 000011